(57)【要約】【課題】ユーザが印刷指示が行われる画面上で用紙名を選択するという煩わしい作業を行う必要を抑制可能な帳票出力システム、帳票出力方法およびプログラムを提供する。【解決手段】帳票を出力する帳票出力システムは、帳票に示されるデータの識別情報と帳票のフォームを示すフォーム情報とを互いに対応づけて格納する格納手段と、前記データと前記識別情報とを有する帳票情報を、外部機器から受け付けると、当該帳票情報内の識別情報に対応するフォーム情報を前記格納手段から読み出し、当該フォーム情報に示された帳票のフォームに前記帳票情報内のデータが示された帳票を出力する制御手段と、を含む。【選択図】図１
2012079217.tif 000002
【特許請求の範囲】
【請求項１】
帳票を出力する帳票出力システムであって、
前記帳票に示されるデータの識別情報と、当該帳票のフォームを示すフォーム情報と、を互いに対応づけて格納する格納手段と、
前記データと前記識別情報とを有する帳票情報を、外部機器から受け付けると、当該帳票情報内の識別情報に対応するフォーム情報を前記格納手段から読み出し、当該フォーム情報に示された帳票のフォームに前記帳票情報内のデータが示された帳票を出力する制御手段と、を含む帳票出力システム。
【請求項２】
請求項１に記載の帳票出力システムにおいて、
前記フォーム情報は、さらに、前記帳票の出力形式を示すものであり、
前記制御手段は、前記フォーム情報に示された帳票のフォームに前記帳票情報内のデータが示された帳票を、前記フォーム情報に示された出力形式で出力する、帳票出力システム。
【請求項３】
請求項１または２に記載の帳票出力システムにおいて、
前記格納手段内の識別情報またはフォーム情報を変更する旨の変更情報を受け付けると、当該変更情報に従って前記格納手段内の識別情報またはフォーム情報を変更する変更手段を、さらに含む帳票出力システム。
【請求項４】
帳票を出力する帳票出力システムが行う帳票出力方法であって、
前記帳票に示されるデータの識別情報と、当該帳票のフォームを示すフォーム情報と、を互いに対応づけて格納手段に格納する格納ステップと、
前記データと前記識別情報とを有する帳票情報を、外部機器から受け付けると、当該帳票情報内の識別情報に対応するフォーム情報を前記格納手段から読み出し、当該フォーム情報に示された帳票のフォームに前記帳票情報内のデータが示された帳票を出力する制御ステップと、を含む帳票出力方法。
【請求項５】
請求項４に記載の帳票出力方法において、
前記フォーム情報は、さらに、前記帳票の出力形式を示すものであり、
前記制御ステップでは、前記フォーム情報に示された帳票のフォームに前記帳票情報内のデータが示された帳票を、前記フォーム情報に示された出力形式で出力する、帳票出力方法。
【請求項６】
請求項４または５に記載の帳票出力方法において、
前記格納手段内の識別情報またはフォーム情報を変更する旨の変更情報を受け付けると、当該変更情報に従って前記格納手段内の識別情報またはフォーム情報を変更する変更ステップを、さらに含む帳票出力方法。
【請求項７】
コンピュータに、
帳票に示されるデータの識別情報と、当該帳票のフォームを示すフォーム情報と、を互いに対応づけて格納手段に格納する格納手順と、
前記データと前記識別情報とを有する帳票情報を、外部機器から受け付けると、当該帳票情報内の識別情報に対応するフォーム情報を前記格納手段から読み出し、当該フォーム情報に示された帳票のフォームに前記帳票情報内のデータが示された帳票を出力する制御手順と、を実行させるためのプログラム。
【請求項８】
請求項７に記載のプログラムにおいて、
前記フォーム情報は、さらに、前記帳票の出力形式を示すものであり、
前記制御手順では、前記フォーム情報に示された帳票のフォームに前記帳票情報内のデータが示された帳票を、前記フォーム情報に示された出力形式で出力する、プログラム。
【請求項９】
請求項７または８に記載のプログラムにおいて、
前記コンピュータに、
前記格納手段内の識別情報またはフォーム情報を変更する旨の変更情報を受け付けると、当該変更情報に従って前記格納手段内の識別情報またはフォーム情報を変更する変更手順を、さらに実行させるためのプログラム。
【発明の詳細な説明】
【技術分野】
【０００１】
本発明は、帳票出力システム、帳票出力方法およびプログラムに関する。
【背景技術】
【０００２】
特許文献１には、印刷装置に、数字や文字といった印刷データと、帳票の様式（罫線パターンにて形成されるフォーム）を示したフォームデータと、を送信することによって、印刷装置に帳票印刷を要求するプリンタドライバが記載されている。
【０００３】
特許文献１に記載のプリンタドライバは、印刷用紙の用紙サイズと、フォームデータと、用紙名と、を互いに関連づけて記憶する。特許文献１に記載のプリンタドライバは、印刷データの印刷指示を行う画面で、ユーザに用紙名を選択させることによって、その用紙名に関連づけられたフォームデータを特定し、そのフォームデータと印刷データとを、印刷装置に送信する。
【先行技術文献】
【特許文献】
【０００４】
【特許文献１】特開２００７−８７０７５号公報
【発明の概要】
【発明が解決しようとする課題】
【０００５】
特許文献１に記載のプリンタドライバでは、リアルタイムに印刷を実行するユーザが、印刷実行時に、印刷指示が行われる画面上で用紙名を選択して、印刷データに応じたフォームデータを特定する。つまり、特許文献１に記載のプリンタドライバでは、印刷指示が行われる画面上で、印刷データとフォームデータとの対応づけが行われる。
【０００６】
このため、特許文献１に記載のプリンタドライバでは、ユーザは、印刷指示が行われる画面上で用紙名を選択するという煩わしい作業を行う必要があるという課題があった。
【０００７】
本発明の目的は、上述した課題を解決可能な帳票出力システム、帳票出力方法およびプログラムを提供することである。
【課題を解決するための手段】
【０００８】
本発明の帳票出力システムは、帳票を出力する帳票出力システムであって、前記帳票に示されるデータの識別情報と、当該帳票のフォームを示すフォーム情報と、を互いに対応づけて格納する格納手段と、前記データと前記識別情報とを有する帳票情報を、外部機器から受け付けると、当該帳票情報内の識別情報に対応するフォーム情報を前記格納手段から読み出し、当該フォーム情報に示された帳票のフォームに前記帳票情報内のデータが示された帳票を出力する制御手段と、を含む。
【０００９】
本発明の帳票出力方法は、帳票を出力する帳票出力システムが行う帳票出力方法であって、前記帳票に示されるデータの識別情報と、当該帳票のフォームを示すフォーム情報と、を互いに対応づけて格納手段に格納する格納ステップと、前記データと前記識別情報とを有する帳票情報を、外部機器から受け付けると、当該帳票情報内の識別情報に対応するフォーム情報を前記格納手段から読み出し、当該フォーム情報に示された帳票のフォームに前記帳票情報内のデータが示された帳票を出力する制御ステップと、を含む。
【００１０】
本発明のプログラムは、コンピュータに、帳票に示されるデータの識別情報と、当該帳票のフォームを示すフォーム情報と、を互いに対応づけて格納手段に格納する格納手順と、  前記データと前記識別情報とを有する帳票情報を、外部機器から受け付けると、当該帳票情報内の識別情報に対応するフォーム情報を前記格納手段から読み出し、当該フォーム情報に示された帳票のフォームに前記帳票情報内のデータが示された帳票を出力する制御手順と、を実行させる。
【発明の効果】
【００１１】
本発明によれば、ユーザが、印刷指示が行われる画面上で用紙名を選択するという煩わしい作業を行う必要を抑制することが可能になる。
【図面の簡単な説明】
【００１２】
【図１】本発明の一実施形態の帳票出力システムを示したブロック図である。
【図２】帳票データ２ａの一例を示した図である。
【図３】制御情報格納データベース１０ａの一例を示した図である。
【発明を実施するための形態】
【００１３】
以下、本発明の一実施形態を図面を参照して説明する。
【００１４】
図１は、本発明の一実施形態の帳票出力システムを示したブロック図である。
【００１５】
図１において、帳票出力システム１は、外部システム２から、帳票データ２ａを受け付ける。帳票データ２ａは、帳票に示されるデータ（数値や文字からなるデータ）と、帳票に示されるデータのＩＤ（identifier）情報と、を有する。帳票データ２ａは、一般的に帳票情報と呼ぶことができる。帳票に示されるデータのＩＤ情報は、一般的に、帳票に示されるデータの識別情報と呼ぶことができる。
【００１６】
図２は、帳票データ２ａの一例を示した図である。図２では、帳票データ２ａは、帳票に示されるデータ２ａ１と、ＩＤ情報２ａ２と、を有する。
【００１７】
外部システム２は、一般的に外部機器と呼ぶことができる。
【００１８】
外部システム２は、帳票出力を行うデータ（帳票に示されるデータ）２ａ１を生成するコンピュータシステムである。外部システム２は、例えば、ユーザの操作に従って、データ２ａ１とＩＤ情報２ａ２とを含む帳票データ２ａを生成する。外部システム２は、帳票データ２ａを、ローカルエリアネットワーク（不図示）を介して、帳票出力システム１内のデータ読込装置２１へ送信する。
【００１９】
帳票出力システム１は、外部システム２から、帳票データ２ａを受け付けると、帳票データ２ａ内のデータ２ａ１を示した帳票を出力する。
【００２０】
帳票出力システム１は、格納部１０と、制御部２０と、制御情報変更装置３０と、を含む。制御部２０は、データ読込装置２１と、帳票データ転送装置２２と、出力情報結合装置２３と、帳票出力装置２４と、を含む。
【００２１】
外部システム２と、データ読込装置２１と、帳票データ転送装置２２と、出力情報結合装置２３と、帳票出力装置２４と、格納部１０と、制御情報変更装置３０とは、プログラム制御により動作し、インターネット等のネットワークを介して相互に接続されている。
【００２２】
格納部１０は、一般的に格納手段と呼ぶことができる。
【００２３】
格納部１０は、制御情報格納データベース１０ａを格納する。制御情報格納データベース１０ａは、帳票出力装置２４を用いて出力可能な帳票様式の一覧情報を管理する。なお、制御情報格納データベース１０ａは、ＩＤ情報とオーバレイ（帳票のフォームを示した情報）の紐付けを行うテーブルを持つ一般的なデータベースシステムである。
【００２４】
図３は、制御情報格納データベース１０ａの一例を示した図である。
【００２５】
図３において、制御情報格納データベース１０ａでは、ＩＤ情報１０ａ１と、帳票名称１０ａ２と、オーバレイ１０ａ３と、出力形式１０ａ４とが、互いに対応づけられている。
【００２６】
ＩＤ情報１０ａ１は、帳票データ２ａ内のＩＤ情報２ａ２に対応する。帳票名称１０ａ２は、帳票の名称を示す。オーバレイ１０ａ３は、例えば、罫線で定義された帳票のフォーム（様式）を示す。オーバレイ１０ａ３に示されたフォームは、帳票データ２ａ内のデータ２ａ１と共に出力（例えば、印刷）される。出力形式１０ａ４は、帳票の出力形式を示す。図３では、帳票の出力形式として、紙、ＰＤＦ（Portable Document Format）およびＣＳＶ（Comma Separated Values）のいずれかが用いられる。なお、帳票の出力形式は、紙、ＰＤＦおよびＣＳＶに限らず適宜変更可能である。
【００２７】
なお、オーバレイ１０ａ３と出力形式１０ａ４とは、一般的にフォーム情報と呼ぶことができる。
【００２８】
制御部２０は、一般的に制御手段と呼ぶことができる。
【００２９】
制御部２０は、帳票データ２ａを、外部システム２から受け付けると、帳票データ２ａ内のＩＤ情報２ａ２に対応するオーバレイ１０ａ３および出力形式１０ａ４を格納部１０から読み出す。以下、格納部１０から読み出されたオーバレイ１０ａ３および出力形式１０ａ４を、制御情報１０ｂと称する。
【００３０】
制御部２０は、制御情報１０ｂを格納部１０から読み出すと、制御情報１０ｂ内のオーバレイ１０ａ３に示された帳票のフォームに帳票データ２ａ内のデータ２ａ１が示された帳票を出力する。
【００３１】
本実施形態では、制御部２０は、制御情報１０ｂを格納部１０から読み出すと、制御情報１０ｂ内のオーバレイ１０ａ３に示された帳票のフォームに帳票データ２ａ内のデータ２ａ１が示された帳票を、制御情報１０ｂ内の出力形式１０ａ４に示された出力形式で出力する。
【００３２】
データ読込装置２１は、外部システム２から送信された帳票データ２ａを読み込む。データ読込装置２１は、帳票データ２ａを、帳票データ転送装置２２を介して、出力情報結合装置２３に提供する。
【００３３】
帳票データ転送装置２２は、データ読込装置２１を常駐的に監視する。帳票データ転送装置２２は、データ読込装置２１が帳票データ２ａを外部システム２から受信した場合に、データ読込装置２１内の帳票データ２ａを、出力情報結合装置２３に、ローカルエリアネットワーク（不図示）を介して送信する。
【００３４】
出力情報結合装置２３は、帳票データ２ａを受信すると、帳票データ２ａ内のＩＤ情報２ａ２をキーとして、格納部１０から、オーバレイ１０ａ３と出力形式１０ａ４とを取得する。
【００３５】
本実施形態では、出力情報結合装置２３は、格納部１０内のＩＤ情報１０ａ１のうち、帳票データ２ａ内のＩＤ情報２ａ２と同じＩＤを示すＩＤ情報１０ａ１を特定する。出力情報結合装置２３は、その特定されたＩＤ情報１０ａ１に対応するオーバレイ１０ａ３および出力形式１０ａ４を、制御情報１０ｂとして、格納部１０から読み出す。
【００３６】
出力情報結合装置２３は、制御情報１０ｂを読み出すと、制御情報１０ｂと帳票データ２ａとを結合して１つのテキストファイル２３ａを作成する。出力情報結合装置２３は、テキストファイル２３ａを、ローカルエリアネットワーク（不図示）を介して、帳票出力装置２４に転送する。
【００３７】
帳票出力装置２４は、オーバレイと帳票データを結合して帳票様式を作成する機能と、複数の出力形式でデータ（帳票）を出力する機能と、を有している。
【００３８】
帳票出力装置２４は、転送された帳票データ２ａおよび制御情報１０ｂの結合情報であるテキストファイル２３ａを受信すると、制御情報１０ｂ内のオーバレイ１０ａ３に示された帳票のフォームに帳票データ２ａ内のデータ２ａ１が示された帳票を出力する。
【００３９】
本実施形態では、帳票出力装置２４は、テキストファイル２３ａを受信すると、制御情報１０ｂ内のオーバレイ１０ａ３に示された帳票のフォームに帳票データ２ａ内のデータ２ａ１が示された帳票を、制御情報１０ｂ内の出力形式１０ａ４に示された出力形式で出力する。
【００４０】
例えば、出力形式１０ａ４が紙を示す場合、帳票出力装置２４は、制御情報１０ｂ内のオーバレイ１０ａ３に示された帳票のフォームに帳票データ２ａ内のデータ２ａ１が示された帳票が印刷された紙を出力する。
【００４１】
制御情報変更装置３０は、一般的に変更手段と呼ぶことができる。
【００４２】
制御情報変更装置３０は、制御情報格納データベース１０ａ内の情報を、ユーザがＷＥＢ画面を用いて入力した変更情報に従って変更する。なお、変更情報は、ＷＥＢ画面を用いて入力されたものに限らない。
【００４３】
変更情報は、格納部１０内の、ＩＤ情報１０ａ１、帳票名称１０ａ２、オーバレイ１０ａ３および出力形式１０ａ４の少なくともいずれか１つを変更する旨の変更である。変更情報は、例えば、ＩＤ情報１０ａ１、帳票名称１０ａ２、オーバレイ１０ａ３および出力形式１０ａ４のいずれかの変更前の情報と、変更後の情報と、を示す。
【００４４】
制御情報変更装置３０は、格納部１０内の情報のうち、変更情報に示された変更前の情報を、変更情報に示された変更後の情報に変更する。
【００４５】
次に、動作を説明する。
【００４６】
外部システム２の利用者は、帳票のオーバレイ１０ａ３および出力形式１０ａ４を決定する。その後、外部システム２の利用者は、制御情報変更装置３０を使用して、ＩＤ情報１０ａ１（例えば、ＩＤ００１）をキーとして、制御情報格納データベース１０ａに、ＩＤ情報１０ａ１（例えば、ＩＤ００１）と帳票名称１０ａ２（例えば、帳票Ａ）とオーバレイ１０ａ３（例えば、オーバレイＡ）と出力形式１０ａ４（例えば、紙）とを互いに対応づけて登録する（ステップ１）。なお、オーバレイＡは、帳票の１つのフォームを示す。
【００４７】
外部システム２は、ステップ１で登録されたＩＤ情報（例えば、ＩＤ００１）をデータ２ａ１の先頭に付加したテキストデータである帳票データ２ａを所定のプログラムに従って作成する。外部システム２は、帳票データ２ａを、データ読込装置２１にローカルエリアネットワーク（不図示）を介してファイル転送する（ステップ２）。
【００４８】
帳票データ転送装置２２は、データ読込装置２１へのファイルの書込みを常駐監視し、ステップ２のデータ転送をトリガーとして、出力情報結合装置２３に、データ読込装置２１内の帳票データ２ａを、ローカルエリアネットワーク（不図示）を介してファイル転送する（ステップ３）。
【００４９】
出力情報結合装置２３は、ステップ３で転送された帳票データ２ａを受信すると、ＳＱＬ（Structured Query Language）などのデータベース言語を使用して、制御情報格納データベース１０ａから、帳票データ２ａに含まれるＩＤ情報２ａ２（例えば、ＩＤ００１）をキーとして、オーバレイ１０ａ３と出力形式１０ａ４を取得する。
【００５０】
本実施形態では、出力情報結合装置２３は、制御情報格納データベース１０ａ内のＩＤ情報１０ａ１のうち、帳票データ２ａ内のＩＤ情報２ａ２と同じＩＤを示すＩＤ情報１０ａ１を特定し、その特定されたＩＤ情報１０ａ１に対応するオーバレイ１０ａ３および出力形式１０ａ４を、制御情報１０ｂとして、制御情報格納データベース１０ａから読み出す。
【００５１】
出力情報結合装置２３は、制御情報１０ｂを読み出すと、制御情報１０ｂと帳票データ２ａとを結合してテキストファイル２３ａを作成し、テキストファイル２３ａを、ローカルエリアネットワーク（不図示）を介して、帳票出力装置２４へファイル転送する（ステップ４）。
【００５２】
帳票出力装置２４は、ステップ４で取得されたテキストファイル２３ａ内のオーバレイ１０ａ３および出力形式１０ａ４を参照し、オーバレイ１０ａ３にて示されたオーバレイとデータ２ａ１との一般的な重ね合わせを行って出力用帳票データを作成し、出力用帳票データを、出力形式１０ａ４で示された出力形式で出力する。
【００５３】
次に、帳票のオーバレイを変更する際の手順の一例を説明する。
【００５４】
外部システム２の利用者は、帳票のオーバレイ形式を変更する場合に、新たなオーバレイを準備し、制御情報変更装置３０を利用して、未使用のＩＤ情報（例えば、ＩＤ０１０）キーとして、制御情報格納データベース１０ａに、ＩＤ情報１０ａ１（ＩＤ０１０）と帳票名称１０ａ２（例えば、帳票Ｍ）とオーバレイ１０ａ３（例えば、新たなオーバレイＭ）と出力形式１０ａ４（例えば、紙）とを互いに対応づけて登録する（ステップ１１）。
【００５５】
外部システム２は、ステップ１１で新たに登録されたＩＤ情報（ＩＤ０１０）をデータ２ａ１の先頭に付加したテキストデータである帳票データ２ａを所定のプログラムに従って作成する。外部システム２は、帳票データ２ａを、データ読込装置２１にローカルエリアネットワーク（不図示）を介してファイル転送する（ステップ１２）。
【００５６】
帳票データ転送装置２２は、データ読込装置２１へのファイルの書込みを常駐監視し、ステップ１２のデータ転送をトリガーとして、出力情報結合装置２３に、データ読込装置２１内の帳票データ２ａを、ローカルエリアネットワーク（不図示）を介してファイル転送する（ステップ１３）。
【００５７】
出力情報結合装置２３は、ステップ１３で転送された帳票データ２ａを受信すると、ＳＱＬなどのデータベース言語を使用して、制御情報格納データベース１０ａから、帳票データ２ａに含まれるＩＤ情報（ＩＤ０１０）をキーとして、オーバレイ１０ａ３と出力形式１０ａ４を取得する。
【００５８】
本実施形態では、出力情報結合装置２３は、制御情報格納データベース１０ａ内のＩＤ情報１０ａ１のうち、帳票データ２ａ内のＩＤ情報２ａ２と同じＩＤ（ＩＤ０１０）を示すＩＤ情報１０ａ１を特定し、その特定されたＩＤ情報１０ａ１に対応するオーバレイ１０ａ３および出力形式１０ａ４を、制御情報１０ｂとして、制御情報格納データベース１０ａから読み出す。
【００５９】
出力情報結合装置２３は、制御情報１０ｂを読み出すと、制御情報１０ｂと帳票データ２ａとを結合してテキストファイル２３ａを作成し、テキストファイル２３ａを、ローカルエリアネットワーク（不図示）を介して、帳票出力装置２４へファイル転送する（ステップ１４）。
【００６０】
帳票出力装置２４は、ステップ１４で取得されたテキストファイル２３ａ内のオーバレイ１０ａ３および出力形式１０ａ４を参照し、オーバレイ１０ａ３にて示されたオーバレイとデータ２ａ１との一般的な重ね合わせを行って出力用帳票データを作成し、出力用帳票データを、出力形式１０ａ４で示された出力形式で出力する。
【００６１】
次に、本実施形態の効果を説明する。
【００６２】
本実施形態では、帳票データ２ａが外部システム２から取得され、制御情報１０ｂが制御情報格納データベース１０ａから取得される方式を採用しておる。このため、帳票データ２ａと制御情報１０ｂが互いに依存しない構成となっている。
【００６３】
つまり、外部システム２から提供される帳票データ２ａは、外部システム２側で管理され、帳票様式等の制御情報１０ｂは、制御情報格納データベース１０ａに格納して管理される。
【００６４】
そのため、帳票様式の変更を行うには、ユーザは、制御情報データベース変更装置３０を介して、制御情報格納データベース１０ａに格納された制御情報の変更を行うだけで良い。したがって、外部システム２側の帳票データを変更することなく、帳票様式等の変更を行うことが可能になる。
【００６５】
また、本実施形態によれば、格納部１０は、帳票に示されるデータのＩＤ識別と、帳票のフォームを示すオーバレイと、を互いに対応づけて格納する。制御部２０は、帳票データ２ａを、外部システム２から受け付けると、帳票データ２ａ内のＩＤ情報に対応するオーバレイを格納部１０から読み出し、そのオーバレイに示された帳票のフォームに帳票データ２ａ内のデータが示された帳票を出力する。
【００６６】
本実施形態では、帳票データと帳票フォームとの対応づけは、印刷指示が行われる画面ではなく、格納部１０にて行われる。
【００６７】
このため、本実施形態によれば、帳票を出力する際に、ユーザが、印刷指示が行われる画面上で、帳票フォームを特定するために用紙名を選択するという煩わしい作業を行う必要がなくなる。
【００６８】
なお、格納部１０と制御部２０とからなる帳票出力システムでも、ユーザが、印刷指示が行われる画面上で帳票フォームを特定するために用紙名を選択するという煩わしい作業を行う必要がなくなる、という効果を奏する。
【００６９】
また、本実施形態によれば、印刷指示が行われる画面上で用紙名を選択する必要がないため、ユーザは、帳票データと用紙名との関係を別途管理する必要がなく、この管理に手間を要することもない。
【００７０】
また、本実施形態によれば、印刷指示が行われる画面上で用紙名を選択する必要がないため、外部システム２が、夜間等にコンピュータプログラムにより、帳票データ２ａを自動的に帳票出力システム１に送信することによって、無人での帳票出力処理を実現することが可能になる。
【００７１】
本実施形態では、格納部１０は、帳票に示されるデータのＩＤ識別と、帳票のフォームを示すオーバレイと、帳票の出力形式と、を互いに対応づけて格納する。制御部２０は、帳票データ２ａを、外部システム２から受け付けると、帳票データ２ａ内のＩＤ情報に対応するオーバレイおよび出力形式を格納部１０から読み出し、そのオーバレイに示された帳票のフォームに帳票データ２ａ内のデータが示された帳票を、出力形式に示された出力形式で出力する。
【００７２】
この場合、帳票の出力形式の変更も容易になる。
【００７３】
また、本実施形態では、制御情報変更装置３０は、制御情報格納データベース１０ａ内の情報を、ユーザがＷＥＢ画面を用いて入力した変更情報に従って変更する。
【００７４】
この場合、制御情報格納データベース１０ａ内の情報を容易に変更することが可能になる。
【００７５】
なお、上記実施形態では、データ読込装置２１と帳票データ転送装置２２と出力情報結合装置２３と帳票出力装置２４と格納部１０と制御情報変更装置３０とは、別々の装置であったが、データ読込装置２１と帳票データ転送装置２２と出力情報結合装置２３と帳票出力装置２４と格納部１０と制御情報変更装置３０とは１つの装置（以下「帳票出力装置」と称する）に内蔵されてもよい。また、この帳票出力装置は、コンピュータにて実現されてもよい。この場合、コンピュータは、コンピュータにて読み取り可能なＣＤ−ＲＯＭ（Compact Disk Read Only Memory）のような記録媒体に記録されたプログラムを読込み実行することによって、データ読込装置２１、帳票データ転送装置２２、出力情報結合装置２３、帳票出力装置２４、格納部１０および制御情報変更装置３０として機能する。記録媒体は、ＣＤ−ＲＯＭに限らず適宜変更可能である。
【００７６】
以上説明した各実施形態において、図示した構成は単なる一例であって、本発明はその構成に限定されるものではない。
【符号の説明】
【００７７】
１      帳票出力システム
２      外部システム
１０    格納部
１０ａ  制御情報格納データベース
２０    制御部
２１    データ読込装置
２２    帳票データ転送装置
２３    出力情報結合装置
２４    帳票出力装置
３０    制御情報変更装置
【図１】
2012079217.tif 000003
【図２】
2012079217.tif 000004
【図３】
2012079217.tif 000005